(57)【要約】【課題】内部への物品の収納動作時に前方に倒れるリスクを回避しつつ、上下方向に複数段積層した場合には、簡易な構成で位置固定を可能とする。【解決手段】本発明の収納システムは、複数の収納ケースが上下方向に積層可能で、正面部が突出し前傾した筐体２と前記筐体に装着されその一部が開閉自在な蓋部材とからなる収納ケースと、複数の収納ケースを連結する連結部材とを備え、蓋部材の背面側縁部には第１嵌合孔が設けられ、筐体の背面の下部には第２嵌合孔が設けられ、第１嵌合孔と第２嵌合孔に連結部材を嵌合させることで複数の収納ケースを連結可能とする。【選択図】図１
2018012561.tif 000002
【特許請求の範囲】
【請求項１】
収納ケースと、
前記収納ケースに装着される前倒防止部材と、を備え、
前記前倒防止部材の少なくとも一部は、所定角度で下方に向けて傾斜している
収納システム。
【請求項２】
前記前倒防止部材は、前方に延びた部分と、前記収納ケースの前面に平行な方向に延びた部分を有し、前記前方に延びた部分は、所定位置を基点として下方に傾斜している
請求項１に記載の収納システム。
【請求項３】
前記収納ケースは、前面の一部が前方に向けて突出している形状である
請求項１又は請求項２に記載の収納システム。
【請求項４】
前記収納ケースを複数備え、
前記収納ケースを上下方向に積層するときに収納ケースを連結する連結手段を更に備えた請求項１乃至請求項３のいずれか１項に記載の収納システム。
【請求項５】
前記連結手段は、前記収納ケースとは別部材であり、前記収納ケースに設けられた嵌合孔にその一部を嵌合させることで前記収納ケース同士を連結する
請求項１乃至請求項４のいずれか１項に記載の収納システム。
【請求項６】
複数の収納ケースが上下方向に積層可能な収納システムにおいて、
筐体を有する複数の収納ケースと、
前記複数の収納ケースを連結する連結部材と、を備え、
前記収納ケースの背面には前方より嵌合可能な第１嵌合部が設けられ、前記収納ケースの背面の下部には後方より嵌合可能な第２嵌合部が設けられ、
前記第１嵌合部と前記第２嵌合部に前記連結部材を嵌合させることで前記複数の収納ケースを連結することを特徴とする
収納システム。
【請求項７】
筐体の前倒れを防止する前倒防止部材を更に備え、
前記筐体の前面には、装着部が設けられており、
前記前倒防止部材の端部を前記装着部に挿入することで、前記筐体より前方向に前記前倒防止部材を突出させたことを特徴とする
請求項６に記載の収納システム。
【請求項８】
前記装着部とは、前記筐体の前面に形成された挿入孔である
請求項７に記載の収納システム
【請求項９】
前記挿入孔は、一つ以上あり、前記筐体の前面の下部に形成されている
請求項８に記載の収納システム
【請求項１０】
前記前倒防止部材は、前方に延びた部分と、前記収納ケースの前面に平行な方向に延びた部分を有し、前記前方に延びた部分は、所定位置を基点として下方に傾斜している
請求項６乃至９のいずれか１項に記載の収納システム。
【請求項１１】
前記連結部材は、
一の収納ケースの前記第１嵌合孔に嵌合される第１嵌合部と、他の収納ケースの前記第２嵌合部に嵌合される第２嵌合部と、を備えたことを特徴とする
請求項６乃至請求項１０のいずれか１項に記載の収納システム。
【請求項１２】
前記筐体と前記蓋部材との開閉状態を保持する開閉保持部材を更に備え、
前記開閉保持部材は、開閉操作を行うもので開口部を備えた第１部材と、前記開口部に収まり開操作を行うときに押圧する第２部材とを有し、
前記第１部材が開く方向に動くときには、前記第１部材の前記開口部の縁部が前記第２部材の円周部を摺動するように移動する
請求項６乃至請求項１１のいずれか１項に記載の収納システム。
【請求項１３】
複数の収納ケースが上下方向に積層可能な収納システムにおいて、
正面部が突出し前傾した筐体と、前記筐体に装着され、その一部が開閉自在な蓋部材とからなる収納ケースと、
前記複数の収納ケースを連結する連結部材と、を備え、
前記蓋部材の背面側縁部には第１嵌合孔が設けられ、前記筐体の背面の下部には第２嵌合孔が設けられ、前記第１嵌合孔と前記第２嵌合孔に前記連結部材を嵌合させることで前記複数の収納ケースを連結することを特徴とする
収納システム。
【請求項１４】
筐体の前倒れを防止する前倒防止部材を更に備え、
前記筐体の前面側下部には、一つ以上の挿入孔が設けられており、
前記前倒防止部材の端部を前記挿入孔に挿入することで、前記筐体より前方向に前記前倒防止部材を突出させたことを特徴とする
請求項１３に記載の収納システム。
【請求項１５】
前記前倒防止部材は、略コの字形状となっており、前記挿入孔に挿入する端から所定の長さのところから所定角度で下方に傾斜していることを特徴とする
請求項１４に記載の収納システム。
【請求項１６】
前記連結部材は、断面形状が略Ｔ字状となっており、
前記連結部材は、一の収納ケースの前記第１嵌合孔に嵌合される第１嵌合部と、他の収納ケースの前記第２嵌合部に嵌合される第２嵌合部と、を備えたことを特徴とする
請求項１３乃至請求項１５のいずれか１項に記載の収納システム。
【請求項１７】
前記連結部材は、断面形状が略Ｔ字状となっており、
前記連結部材は、他の収納ケースの前記第１嵌合孔に嵌合される第３嵌合部を備え、
前記第３嵌合部が嵌合された状態では、前記第１及び第２嵌合部が平面をなし、前記平面が他の収納ケースの前記背面部の一部に当接することを特徴とする
請求項１６に記載の収納システム。
【請求項１８】
前記筐体と前記蓋部材との開閉状態を保持する開閉保持部材を更に備え、
前記開閉保持部材は、開閉操作を行うもので開口部を備えた第１部材と、前記開口部に収まり開操作を行うときに押圧する第２部材とを有し、
前記第１部材が開く方向に動くときには、前記第１部材の前記開口部の縁部が前記第２部材の円周部を摺動するように移動する
請求項１３乃至請求項１７のいずれか１項に記載の収納システム。
【発明の詳細な説明】
【技術分野】
【０００１】
本発明は、例えばゴミ箱としても使用できる収納システムに係り、特に横並び又は多段積層状態でも使用可能な収納システムに関する。
【背景技術】
【０００２】
従来、多様な用途で用いられる収納ケースが開発されており、デザイン面のみならず使い勝手等の機能面も充実したものがある。そして、最近では居住スペースの多様化に伴い所定の大きさの収納ケースを需要者の環境に合わせて、複数段を上下に積層したり、左右に並べて使用したりすることも一般になされている。特に複数段を上下に積層する場合においては、安定的な状態を保つために、連結一体化することもなされている。
【０００３】
この種の技術としては、例えば、特許文献１では、上側収納箱の底板部の側縁部と下側収納箱の天板部の側縁部とをコの字連結具によって分離可能に連結一体化する連結構造が開示されている。さらに、特許文献２では、横置き用連結部材を用いて横方向に並べた際にも連結することができる収納ケースが開示されている。
【０００４】
一方、最近では、複数の収納ケースを上下方向に複数段積層した場合であっても、最下段のケースへの物品の出し入れを可能とする技術も提案されている。
【０００５】
この種の技術としては、例えば、特許文献３では、ペダルの下方への押し下げ操作により、内ケースが前方に傾動して、その上方開口部がケース本体から露出されるように前傾状態に摺動可能に装着された収納ケースが開示されている。
【先行技術文献】
【特許文献】
【０００６】
【特許文献１】特開２００５−１６２２２３号公報
【特許文献２】実用新案登録第３０９９９４７号公報
【特許文献３】実用新案登録第３１０５９８８号公報
【発明の概要】
【発明が解決しようとする課題】
【０００７】
しかしながら、特許文献１の連結構造のように、上下方向に収納箱を連結する場合、このコの字連結具によって、連結する必要があることから、収納箱に特殊な加工を施す必要が生まれ、製造コストが割高となる。更に、特許文献１の連結構造では、連結具を外部より嵌め込む構成であることから、デザイン性を損なう。また、特許文献３に開示されたような内ケースが前方に傾動する構成については、積層した状態で前方に傾動させると収納ケース自体が前方向に倒れるおそれがある。
【０００８】
つまり、簡易な構成により複数の収納ケースを上下方向に積層した状態で連結可能としつつ、ユーザによる収納ケース内部への物品の収納動作時に、収納ケース自体が前方に倒れるリスクをも回避する従来技術は存在しない。
【０００９】
本発明は、このような課題に鑑みてなされたものであり、内部への物品の収納動作時に前方に倒れるリスクを回避することを目的とする。更に、上下方向に複数段積層した場合には、簡易な構成で位置固定を可能とすることを目的とする。
【課題を解決するための手段】
【００１０】
上記課題を解決するため、本発明の第１の態様に係る収納システムは、収納ケースと、前記収納ケースに装着される前倒防止部材と、を備え、前記前倒防止部材の少なくとも一部は、所定角度で下方に向けて傾斜している。
【００１１】
本発明の第２の態様に係る収納システムは、複数の収納ケースが上下方向に積層可能な収納システムにおいて、筐体を有する複数の収納ケースと、前記複数の収納ケースを連結する連結部材とを備え、前記収納ケースの背面には前方より嵌合可能な第１嵌合部が設けられ、前記収納ケースの背面の下部には後方より嵌合可能な第２嵌合部が設けられ、前記第１嵌合部と前記第２嵌合部に前記連結部材を嵌合させることで前記複数の収納ケースを連結することを特徴とする。
【００１２】
本発明の第３の態様に係る収納システムは、複数の収納ケースが上下方向に積層可能な収納システムにおいて、正面部が突出し前傾した筐体と、前記筐体に装着され、その一部が開閉自在な蓋部材とからなる収納ケースと、前記複数の収納ケースを連結する連結部材と、を備え、前記蓋部材の背面側縁部には第１嵌合孔が設けられ、前記筐体の背面の下部には第２嵌合孔が設けられ、前記第１嵌合孔と前記第２嵌合孔に前記連結部材を嵌合させることで前記複数の収納ケースを連結することを特徴とする。
【発明の効果】
【００１３】
本発明によれば、内部への物品の収納動作時に前方に倒れるリスクを回避する収納ケース及び収納システムを提供することを目的とする。更に、上下方向に複数段積層した場合には、簡易な構成で位置固定を可能とする収納システムを提供することを目的とする。
【図面の簡単な説明】
【００１４】
【図１】図１（ａ）及び図１（ｂ）は、本発明の一実施形態に係る収納ケース及び前倒防止部材の構成図である。
【図２】図２（ａ）は前倒防止部材の構成を示し、図２（ｂ）、２（ｃ）は前倒防止部材の装着の様子を示す図である。
【図３】図３（ａ）は連結部材の構成を示し、図３（ｂ）乃至３（ｄ）は上下２段に積層しつつ連結部材で連結する様子を示す図である。
【図４】図４（ａ）乃至４（ｃ）は開閉状態保持部材の構成図である。
【図５】図５（ａ）及び５（ｂ）は開閉状態保持部材の部品の構成図である。
【図６】図６（ａ）、６（ｂ）は固定部材の構成図であり、図６（ｃ）乃至（ｄ）は横並びの連結の様子を示す図である。
【発明を実施するための形態】
【００１５】
以下、図面を参照しつつ本発明の一実施形態について説明する。
【００１６】
図１（ａ）及び図１（ｂ）には、本発明の一実施形態に係る収納ケース１及び前倒防止部材５の構成を示し説明する。
【００１７】
これらの図に示されるように、収納ケース１は、筐体２を備えている。筐体２は側面部２ａが５角形形状となっている。より具体的には、上辺よりも下辺の方が短く、前方に向けて鋭角状に突出した形状となっている。筐体２の上には、蓋部材３が装着される。蓋部材３は、上方蓋部３ａと前傾蓋部３ｂとで構成されており、上方蓋部３ａの前方の縁部に前傾蓋部３ｂの後方の縁部が回動自在に装着される。従って、筐体２に蓋部３を装着した状態では、前傾蓋部３ｂは、後方の縁部を回転中心として円弧を描くように回動することで、開閉可能となっている。
【００１８】
尚、この例では、蓋部３の上方蓋部３ａと前傾二部３ｂには所定の深さの溝部が形成されている。上方蓋部３ａの溝部は、その広さが、複数の収納ケース１を上下方向に積層したときに、上段の収納ケース１の底部が収まるように設計されている。筐体２の前面の下方の両端には、２つの挿入孔が設けられており、前倒防止部材５の両端が挿入され、装着されるようになっている。このように、収納ケース１は、前傾しているが、前倒防止部材５により前方への転倒が防止されている。
【００１９】
図２（ａ）には前倒防止部材５の構成を示し、図２（ｂ）、図２（ｃ）には前倒防止部材５の装着の様子を示し説明する。
【００２０】
図２（ａ）に示されるように、前倒防止部材５は、略コの字形状となっており、筐体２の装着部としての挿入孔２ｂに挿入する端から所定の長さのところを基点に所定角度で下方に傾斜している。より詳細には、前倒防止部材５は、挿入部５ａと、挿入部５ａとの切り替わり位置を基点として所定角度で下方に傾斜した延出部５ｂと、延出部５ｂから連続し延出部５ｂ同士を連結するもので床面に当接する当接部５ｃとからなる。尚、前倒防止部材５の傾斜角度は、筐体２における挿入孔２ｂの床面からの高さ等によって決まるが、この例では、５〜１５度となっている。但し、これには限定されない。
【００２１】
図２（ｂ）、図２（ｃ）に示されるように、前倒防止部材５の装着に際しては、筐体２の前面の下方に設けられた挿入孔２ｂに、前倒防止部材５の両端、つまり挿入部５ａを挿入する（図中、矢印方向）。このように、前倒防止部材５の端部、つまり挿入部５ａを挿入孔２ｂに挿入することで、筐体２より前方向に前倒防止部材５が突出する。従って、蓋部材３の開閉動作を行うとき等においても、前倒防止部材５の当接部５ｃが床面に当接するので、前方に倒れる事態を防止することができる。この効果は、収納ケース１を上下方向に複数段、積層した場合に顕著に表れる。
【００２２】
図３（ａ）には連結部材６の構成を示し、図３（ｂ）乃至図３（ｄ）には上下２段に積層しつつ連結部材６で連結する様子を示し説明する。
【００２３】
図３（ａ）に示されるように、連結部材６は、断面形状が略Ｔ字状となっており、第１乃至第３嵌合部６ａ乃至６ｃで構成されている。
【００２４】
図３（ｂ）に示されるように、複数の収納ケース１を上下方向に多数段積層するときには、先ず筐体２の背面２ｃの下方の嵌合孔２ｄに、連結部材６の第１嵌合部６ａを嵌合させる。そして、図３（ｃ）に示されるように、上段の収納ケース１Ａの背面２ｃの嵌合孔２ｄに連結部材６の第１嵌合部６ａを嵌合させた状態で、下段の収納ケース１Ｂの蓋部材３の上方蓋部３ａの上に積層するときに、連結部材６の第２嵌合部６ｂを下段の収納ケース１Ｂの蓋部材３の嵌合孔３ｃに嵌合させる。これにより、図３（ｄ）に示されるような積層状態となる。
【００２５】
尚、下段の収納ケースの蓋部材の嵌合孔に第３嵌合部６ｃが嵌合された状態では、第１嵌合部６ａ及び第２嵌合部６ｂが平面をなし、この平面が上段の他の収納ケースの背面の一部に当接することで滑り止めとして機能する。
【００２６】
図４（ａ）乃至４（ｃ）には、開閉保持部材４の構成を示し説明する。
【００２７】
これらの図に示されるように、収納ケース１は、筐体２と蓋部材３との開閉状態を保持する開閉保持部材４を更に備えている。開閉保持部材４は、開閉操作を行うもので開口部を備えた第１部材７と、開口部に収まり開操作を行うときに押圧する第２部材８とを有しており、第１部材７が開く方向に動くときには、第１部材７の開口部の縁部が第２部材８の円周部を摺動するように移動する。尚、第２部材８は、筐体２と一体成型された固定部９に回動自在に装着されている。
【００２８】
図５（ａ）及び５（ｂ）には、開閉保持部材４の部品の構成を示し説明する。
【００２９】
図５（ａ）、は開閉保持部材４の第１部材７の詳細な構成を示している。同図に示されるように、第１部材７は、平面部７ｂを備えており、該平面部７ｂの一端には平面部７ｂの平面に対して垂直な方向に係合部７ａが立設されている。平面部７ｂの係合部７ａの立設側とは反対側の端には２つの軸部形成部７ｄが立設されている。そして、この軸部形成部７ｄの対向側の内側上部には筐体２に対して第１部材７を回動自在に装着するための回動軸部７ｃが形成されている。この軸部形成部７ｄ間に第２部材８が配設される。
【００３０】
図５（ｂ）は、開閉保持部材４の第２部材８の詳細な構成を示している。同図に示されるように、第２部材８は、周面部８ａを備えており、該周面部８ａの両端からは側面部８ｅが立設されており、該側面部８ｅには、それぞれ外向きに突出した回動軸部８ｄが形成されている。この回動軸部８ｄは、筐体２と一体成型された固定部材１０に第２部材８が回動自在となるように装着される。周面部８ａからは、２本の板バネ部８ｃが対向するような位置関係で延出している。この板バネ部８ｃは、周面部８ａより鉛直方向に所定長さ延び、対向方向に向けて垂直方向に所定長さ延び、曲面を形成しつつ再び対向方向とは反対方向に向けて斜めに延出した構成となっている。この板バネ部８ｃの先端が、固定部材１０に当接するので、押圧動作を行ったときに、その押圧力に反発する力が生まれ、押圧を終えたときに元の状態に戻るようになっている。
【００３１】
このような第１部材７、第２部材８が組み合わされて開閉保持部材４が構成されることになるが、通常の状態では、第２部材８の周面部８ａが第１部材７の平面部７ｂより突出しており、第２部材８を押圧すると、第１部材７の開口部の縁部７ｅが第２部材８の周面部８ａの周面を摺動し、隙間が生じることがないので、操作時にユーザに指等を挟むといった怪我を負わせることもない。
【００３２】
図６（ａ）、図６（ｂ）には固定部材の構成を示し、図６（ｃ）、図６（ｄ）には横並びの連結の様子を示し説明する。
【００３３】
図６（ａ）は横並びの２つの収納ケースを略中央部分で連結するための固定部材９の構成を示している。同図に示される固定部材９は、外形が略長方形形状となっており、長手方向に所定間隔をあけて２つの開口部９ａ，９ｂが設けられている。
【００３４】
図６（ｂ）は横並びの２つの収納ケースを背面側で連結するための固定部材１０の構成を示している、同図に示される固定部材１０は、リング状の本体１０ｃの両端から２本の係止部１０ａ，１０ｂが湾曲しながら伸びており、両係止部１０ａ，１０ｂの先端が接続された構成となっている。
【００３５】
図６（ｃ）は、実際に固定部材９，１０を用いて、２つの収納ケース１Ａ，１Ｂを横並びで連結する様子を示している。２つの収納ケース１Ａ，１Ｂが横並びで置かれた後、後方の係止凸部１１，１２に固定部材１０の係止部１０ａ，１０ｂを係止させ、略中央の係止凸部１３，１４を固定部材９の開口部９ａ，９ｂに嵌め込むようにして係止さえる。これにより、図６（ｄ）に示されるような横並びの関係での連結が実現される。
【００３６】
以上、本発明の一実施形態につき説明したが、本発明によれば以下の効果が奏される。
【００３７】
（１）収納ケースと、前記収納ケースに装着される前倒防止部材と、を備え、前記前倒防止部材の少なくとも一部は、所定角度で下方に向けて傾斜している収納システムが提供される。従って、収納ケースの形状によらず、前倒れを効果的に防止できる。
【００３８】
（２）ここで、前倒防止部材は、前方に延びた部分と、収納ケースの前面に平行な方向に延びた部分を有し、前方に延びた部分は、所定位置を基点として下方に傾斜していてよい。この場合、前倒れをより効果的に防止できる。
【００３９】
（３）収納ケースは、前面の一部が前方に向けて突出している形状でよい。この場合には、前倒れがより一層問題となる形状の収納ケースであっても、より一層、効果的に前倒れを防止することができる。
【００４０】
（４）収納ケースを複数備え、収納ケースを上下方向に積層するときに収納ケースを連結する連結手段を更に備えてよい。この場合、上下方向に積層した状態であっても、より効果的に前倒れを防止することができる。
【００４１】
（５）連結手段は、収納ケースとは別部材であり、収納ケースに設けられた嵌合孔にその一部を嵌合させることで前記収納ケース同士を連結してよい。この場合には、連結手段を別部材として製造、販売することが可能となる。
【００４２】
（６）複数の収納ケース１が上下方向に積層可能な収納システムにおいて、正面部が突出し前傾した筐体２と、この筐体２に装着され、その一部が開閉自在な蓋部材３とからなる収納ケース１と、複数の収納ケース１を連結する連結部材６とを備え、蓋部材３の背面側縁部には第１嵌合部としての嵌合孔３ｃが設けられ、筐体２の背面の下部には第２嵌合部としての嵌合孔２ｄが設けられ、第１嵌合孔３ｃと第２嵌合孔２ｄに連結部材６を嵌合させることで複数の収納ケース１を連結することを特徴とする収納システムが提供される。従って、連結部材６を用いた簡易な仕組みにより、収納ケースを安定した状態で複数段積層できるので、ユーザの居住関係に合わせた使用が可能となる。
【００４３】
（７）ここで、筐体２の前倒れを防止する前倒防止部材５を更に備え、筐体２の前面側下部には、２つの挿入孔２ｂが設けられており、前倒防止部材５の端部を挿入孔２ｂに挿入することで、筐体２より前方向に前倒防止部材５を突出させてもよい。この場合、前倒防止部材５を用いた簡易な仕組みにより、収納ケースを蓋の開閉動作を行った場合であっても安定した状態に保つことが可能となる。
【００４４】
（８）さらに、前倒防止部材５は、略コの字形状となっており、挿入孔２ｂに挿入する端から所定の長さのところから所定角度で下方に傾斜させてもよい。この場合、前倒防止部材５の先端部が床面に当接するので、安定した状態を保つことができる。
【００４５】
（９）さらに、連結部材６は、断面形状が略Ｔ字状となっており、連結部材６は、一の収納ケースの第１嵌合孔２ｄに嵌合される第１嵌合部６ａと、他の収納ケースの第２嵌合部３ｃに嵌合される第２嵌合部６ｂとを備えてもよい。この場合、一方の収納ケースの嵌合孔に連結部材を嵌合させた状態で、他方の収納ケースの嵌合孔に連結部材を嵌合させつつ積層状態とすることができるので、連結部材の装着が簡便であり、ユーザに煩雑さを感じさせることもない。
【００４６】
（１０）また、連結部材６は、断面形状が略Ｔ字状となっており、連結部材６は、他の収納ケースの第２嵌合孔３ｃに嵌合される第３嵌合部６ｃを備え、第３嵌合部６ｃが嵌合された状態では、前記第１及び第２嵌合部６ａ，６ｂが平面をなし、この平面が他の収納ケースの背面の一部に当接することとしてもよい。この場合、背面の第２嵌合部３ｃを備えていない従来の収納ケースを上段とする積層関係も実現され、その関係において両ケース間での滑り止め機能を実現できる。
【００４７】
（１１）また、筐体２と蓋部材３との開閉状態を保持する開閉保持部材４を更に備え、開閉保持部材４は、開閉操作を行うもので開口部を備えた第１部材７と、開口部に収まり開操作を行うときに押圧する第２部材８とを有し、第１部材７が開く方向に動くときには第１部材７の開口部の縁部７ｅが第２部材８の円周部８ａを摺動するように移動することとしてもよい。この場合、開閉動作時に第１部材７と第２部材８との間に隙間が生じ難いので、ユーザが指を挟み怪我をする等の事態を未然防止することができる。
【００４８】
以上、本発明の一実施形態について説明したが、本発明はこれに限定されることなくその趣旨を逸脱しない範囲で種々の改良・変更が可能であることは勿論である。
【００４９】
例えば、前倒防止部材は、前述した略コの字形状のほか、略Ｍ字形状等、種々の形状とすることができる。
【符号の説明】
【００５０】
１…収納ケース、２…筐体、２ａ…側面部、２ｂ…挿入孔、２ｃ…背面部、２ｄ…嵌合孔、３…蓋部材、３ａ…上方蓋部、３ｂ…前傾蓋部、３ｃ…嵌合孔、４…開閉保持部材、５…前倒防止部材、５ａ…挿入部、５ｂ…延出部、５ｃ…当接部、６…連結部材、６ａ…第１嵌合部、６ｂ…第２嵌合部、６ｃ…第３嵌合部、７…第１部材、７ａ…係合部、７ｂ…平面部、７ｃ…回動軸部、７ｄ…軸部形成部、７ｅ…縁部、８…第２部材、８ａ…周面部、８ｂ，８ｃ…板バネ部、８ｄ…回動軸部、８ｅ…側面部、９…固定部材、９ａ，９ｂ…開口部、１０…固定部材、１０ａ…係止部、１０ｂ…係止部、１１，１２…係止凸部、１３，１４…係止凸部、１５…装着加工部。
【図１】
2018012561.tif 000003
【図２】
2018012561.tif 000004
【図３】
2018012561.tif 000005
【図４】
2018012561.tif 000006
【図５】
2018012561.tif 000007
【図６】
2018012561.tif 000008